(57)【特許請求の範囲】
【請求項１】
構造体と、該構造体に回動可能に装着された回転構造体と、前記構造体と回転構造体に橋渡しされた電線を保護する電線保護装置であって、前記回転構造体の回動時に、電線と該電線が接触する構造体との間に該電線の変形に応じて変形する保護部材を介在させている電線保護装置において、
前記保護部材は、前記電線を束ねるクランプ部材を２個以上用いて前記構造体と前記回転構造体の何れか一方に固定支持されることを特徴とする電線保護装置。
【請求項２】
前記保護部材が、前記電線の配線方向に延びる板状の弾性体フィルムからなることを特徴とする請求項１に記載の電線保護装置。
【請求項３】
前記保護部材は、前記クランプ部材によって前記構造体と前記回転構造体の何れか一方に固定支持される固定部と該固定部に繋がり端部がフリーの変形部とからなり、該変形部が、前記電線と前記構造体との間に介在されていることを特徴とする請求項１または２に記載の電線保護装置。
【請求項４】
前記保護部材は、前記電線の配線方向と直交する断面形状が略Ｌの字状に形成されていることを特徴とする請求項１ないし３の何れかに記載の電線保護装置。
【請求項５】
請求項１ないし４の何れかに記載の電線保護装置を用いたことを特徴とする電子機器。
【発明の詳細な説明】
【技術分野】
【０００１】
本発明は、構造体と該構造体に回動可能に装着された回転構造体に橋渡しされた電線を保護する電線保護装置及びその電線保護装置を用いる電子機器に関するものである。
【背景技術】
【０００２】
電子機器、例えばプリンタ、複写機、ファクシミリ等もしくはこれらの少なくとも２つの機能を有する複合機等の画像形成装置において、制御用電装基板等は装置本体の側面か裏面に取り付けられることが多い。近年では制御用電装基板を側面に取り付けると、装置の幅が大きくなるため、裏面に取り付けるものが増えている。
【０００３】
【特許文献１】特開２００１−３３４７２５号公報
【０００４】
ところで、近年の画像形成装置は４つの作像部を備えたフルカラー機が多く提案されており、かかる装置では制御部品が増大している。また、ユーザーの要望によりオプションを追加する場合もその制御部品を追加する必要が生ずる。画像形成装置の多くは、装置本体の裏面側に制御部品を備えたユニットを配置しているが、制御部品の増加に伴い設置スペースが不足状態に陥っている。そこで、制御部品の一部をユニットケース内に収納し、特許文献１のように、装置本体後方部に対し回動可能に支点支持するように構成するものが提案されている。
【０００５】
このように構成することで、制御部品を装置の奥行き方向において重ね設置可能であり、そしてユニットケースが回動できることで、メンテナンスの作業性等が向上される。なお、ユニットケースは内部に取り付けられる制御基板より電磁波が多く発生するため、ユニットケースを板金で囲い箱型構造としていることが多い。そして、ユニットケースには装置本体から多くの電線がハーネスとして配線されており、このハーネスがユニットケースの回動時に構造体の端部エッジに当って傷ついたり断線したりすることがあった。
【０００６】
そこで、ハーネスにテープを巻き付けたり、螺旋状に巻かれた樹脂製の保護部材（スパイラルチューブ）を被せたりして電線が直接エッジに接触しないように保護するのが一般的である。しかしながら、ハーネスにテープを巻き付けることは、機械でなく人手によって行わねばならずコストアップになっていた。さらに、スパイラルチューブを被せることは、該チューブの位置決めが困難であるため、一部分を保護するため、ハーネスの全長にわたって組み付けねばならず、製造時間の増加につながった。
【発明の開示】
【発明が解決しようとする課題】
【０００７】
本発明は、上記した不具合を解消し、回転構造体の回動に伴う電線の破損や断線を安価で確実に防止することができる電線保護装置及び電子機器を提供することを目的とする。
【課題を解決するための手段】
【０００８】
上記目的を達成するために、本発明は、構造体と、該構造体に回動可能に装着された回転構造体と、前記構造体と回転構造体に橋渡しされた電線を保護する電線保護装置であって、前記回転構造体の回動時に、電線と該電線が接触する構造体との間に該電線の変形に応じて変形する保護部材を介在させている電線保護装置において、前記保護部材は、前記電線を束ねるクランプ部材を２個以上用いて前記構造体と前記回転構造体の何れか一方に固定支持されることを特徴とする電線保護装置を提案する。
【０００９】
なお、本発明は、前記保護部材が、前記電線の配線方向に延びる板状の弾性体フィルムからなると有利である（請求項２）。
さらに、本発明は、前記保護部材は、前記クランプ部材によって前記構造体と前記回転構造体の何れか一方に固定支持される固定部と該固定部に繋がり端部がフリーの変形部とからなり、該変形部が、前記電線と前記構造体との間に介在されていると有利である（請求項３）。
【００１１】
さらにまた、本発明は、前記保護部材は、前記電線の配線方向と直交する断面形状が略Ｌの字状に形成されていると有利である（請求項４）。
また、上記目的を達成するために、本発明は、請求項１ないし４の何れかに記載の電線保護装置を用いたことを特徴とする電子機器を提案する。
【発明の効果】
【００１２】
本発明は、構造体の端部形状によらず、電線を確実に保護することができる。さらに、ハーネスクランプを利用して電線保護部材を構造体または回転構造体に組付けるので、作業が容易で、スパイラルチューブに比べて組み立て時間を短縮でき、両面テープによる貼り付けと比較しても組み付けは容易である。
【発明を実施するための最良の形態】
【００１３】
以下、本発明の実施の形態を添付図面にしたがって説明する。
図１は、本発明の一実施形態を示す電子機器としての画像形成装置の外観斜視図である。この画像形成装置１は原稿読取部と画像形成部を備えた複写機の一例であるが、ＬＡＮケーブルや電話回線と接続することにより、プリンタ、スキャナ、ファクシミリとしても用いることができる。
【００１４】
この画像形成装置１では、本体の略中央部に画像形成部２が配置され、その画像形成部２の直下に給紙部３が配置されている。また、画像形成部２の上部には胴内排紙型と呼ばれる排紙部４が設けられており、その上方に原稿読取部５が配置されている。また、この原稿読取部５の正面側には、画像形成装置の複数の機能を操作するための入力手段（スタートキー、テンキー、機能設定キー、リセットキー、クリア／ストップキー等の各種キー）と、各種入力情報や装置の状態を表示する表示手段（液晶表示パネル、あるいは入力手段を兼ねた液晶タッチパネル等）とを有する操作部６が設けられている。
【００１５】
図１に示す画像形成装置１では、画像形成部２と給紙部３が設置される装置本体には外装の内部に例えば図２に示すような構造からなる構造体を備えている。なお、図１において、図中の矢印Ａの側が装置前側である。
【００１６】
図２は画像形成装置１の内部構成の概要を示す概略全体構成図である。
画像形成装置本体の上部には、原稿読取部５が配置されており、この原稿読取部（スキャナ部）５は、原稿が載置される原稿台としてのコンタクトガラス５ａと、原稿を照明する照明光源５ｂと、原稿からの反射光を反射する第１ミラー５ｃ、第２ミラー５ｄ、第３ミラー５ｅと、原稿からの反射光を結像する結像レンズ５ｆと、その結像位置に配置され原稿画像を読み取る読取手段としてのＣＣＤ等のイメージセンサ５ｇとを備えている。この原稿読取部５の上には、コンタクトガラス５ａに載置された原稿を押さえる圧板、あるいはコンタクトガラス５ａに原稿を自動給紙する図示しない自動原稿給紙装置（ＡＤＦ）などが設けられる。
【００１７】
装置本体の中央部には画像形成部２が設けられており、この画像形成部２には、イエロー（Ｙ）、シアン（Ｃ）、マゼンタ（Ｍ）、ブラック（Ｂ）の各色の画像を形成するための４つの画像形成ユニットと、無端ベルト状の中間転写体（以下、中間転写ベルトと言う）１７ａを有する中間転写ベルトユニット１７が配置されており、４つの画像形成ユニットの下側には光書込装置１３が設置されている。
【００１８】
各画像形成ユニットの構成は同じであり、像担持体としての感光体ドラム１１Ｙ，１１Ｃ，１１Ｍ，１１Ｂをそれぞれ有し、その回りにはそれぞれ専用の帯電装置１２Ｙ，１２Ｃ，１２Ｍ，１２Ｂ、現像装置１４Ｙ，１４Ｃ，１４Ｍ，１４Ｂ、一次転写ローラ１５Ｙ，１５Ｃ，１５Ｍ，１５Ｂ、クリーニング装置１６Ｙ，１６Ｃ，１６Ｍ，１６Ｂが配置されている。
【００１９】
光書込装置１３は４つの画像形成ユニットに対して配置され、中央に１つの偏向器を有し、４つの光源からの光束を一つの偏向器で４系統に振り分けて偏向走査し、４つの感光体ドラム１１Ｙ，１１Ｃ，１１Ｍ，１１Ｂに潜像を書込むものであり、各色毎に用意されたレーザダイオード（ＬＤ）方式の４つの光源と、光源から出射されたレーザ光束をコリメートする光学系と、ポリゴンミラー（回転多面鏡）とポリゴンモータから構成される１つの偏向器（ポリゴンスキャナ）と、各光源の光路に配置されたｆθレンズ等の走査・結像用のレンズや補正用レンズ、ミラー等からなる光学系とで構成されている。そして、各色の画像情報に応じてレーザダイオードから射出されたレーザ光はポリゴンスキャナにより偏向走査され、各色の感光体ドラム１１Ｙ，１１Ｃ，１１Ｍ，１１Ｂに照射される。
【００２０】
また、画像形成部２と胴内排紙部４の間には、各画像形成ユニットの現像装置１４Ｙ，１４Ｃ，１４Ｍ，１４Ｂにトナーを補給するためのトナーボトル３２Ｙ，３２Ｃ，３２Ｍ，３２Ｂが設けられている。各トナーボトル３２Ｙ，３２Ｃ，３２Ｍ，３２Ｂには、図中左からイエロー（Ｙ）、シアン（Ｃ）、マゼンタ（Ｍ）、ブラック（Ｂ）のトナーが充填されており、ここから図示しない搬送経路によって、所定の補給量だけ各色の現像装置１４Ｙ，１４Ｃ，１４Ｍ，１４Ｂに各色のトナーが補給される。
【００２１】
中間転写ユニット１７の中間転写ベルト１７ａは、駆動ローラと従動ローラ及び一次転写ローラに支持されており、図中の矢印の向きに回動される。この中間転写ベルト１７ａの右側には二次転写ローラ２２が設けられている。また、中間転写ベルト１７ａの左側には、中間転写ベルトクリーニング装置１８が設けられている。
【００２２】
装置本体下部の給紙部３には、記録材としての記録用紙Ｓが収納された２段の給紙カセット３ａ，３ｂが設置されており、いずれか一方の給紙カセットから給紙装置１９ａ，１９ｂにより記録用紙Ｓが給紙され、搬送ローラ２０ａ，２０ｂを介してレジストローラ２１に向けて給紙されるようになっている。また、レジストローラ２１に給紙された記録用紙Ｓは、所定のタイミングで二次転写ローラ２２に向けて送り出される。
【００２３】
二次転写ローラ２２の上方には、定着ユニット９が設置されている。この定着ユニット９内には、例えば定着ローラ９ａと加熱ローラ９ｂに支持された定着ベルト９ｃと、該定着ベルト９ｃに圧接する加圧ローラ９ｄが設けられている。また、定着ユニット９の上方には、胴内排紙部４へ向けて用紙を搬送し排紙する搬送ローラ２３や排紙ローラ２４が設けられており、さらにその上には、両面プリント時に搬送路を切換える切換え爪２５や、スイッチバック式に用紙の向きを反転するための反転搬送ローラ２６及び反転搬送路２７が設けられている。この反転搬送路２７に一時的にスタックされた用紙は、反転搬送ローラ２６で向きを反転されて、両面用搬送路を搬送ローラ２８，２９により搬送され、レジストローラ２１に再給紙される。
【００２４】
次にこの画像形成装置の動作について説明する。コピーを行うときは、圧板を開いて原稿読取部５のコンタクトガラス５ａ上に原稿をセットするか、あるいは図示しないＡＤＦの原稿台に原稿をセットする。
【００２５】
そして、操作部６のスタートスイッチを押すと、ＡＤＦに原稿をセットしたときは、原稿を搬送してコンタクトガラス５ａ上へと移動した後に原稿読取部５を駆動し、他方、コンタクトガラス５ａ上に原稿をセットしたときは、直ちに原稿読取部５を駆動して、光源５ｂと第１ミラー５ｃを有する第１走行体、および第２ミラー５ｄと第３ミラー５ｅを保持する第２走行体を走行する。そして、光源５ｂから光を放射し、原稿面からの反射光を第１ミラー５ｃで反射して第２走行体に向け、第２走行体の第２、第３のミラー５ｄ，５ｅで反射して結像レンズ５ｆを通して読取手段であるＣＣＤ等のイメージセンサ５ｇに入れ、イメージセンサ５ｇで原稿内容を読み取る。その後、操作部６でのモード設定、あるいは操作部で自動モード選択が設定されている場合には原稿の読み取り結果に従い、フルカラーモードまたは白黒モードで画像形成動作を開始する。
【００２６】
画像形成部２では、まず、帯電装置１２Ｙ，１２Ｃ，１２Ｍ，１２Ｂｋによって各感光体ドラム１１Ｙ，１１Ｃ，１１Ｍ，１１Ｂが一様に帯電された後、感光体ドラム１１Ｙ，１１Ｃ，１１Ｍ，１１Ｂは、４つのレーザ光源と共通の偏向器と４系統の走査光学系を有する光書込装置１３によりレーザ光にて露光走査され、感光体ドラム１１Ｙ，１１Ｃ，１１Ｍ，１１Ｂ上に静電潜像が作られる。
【００２７】
各静電潜像は、それぞれ各色の現像装置１４Ｙ，１４Ｃ，１４Ｍ，１４Ｂにより現像され、感光体ドラム１１Ｙ，１１Ｃ，１１Ｍ，１１Ｂの表面にイエロー、シアン、マゼンタ、ブラックのトナー像がそれぞれ形成される。
【００２８】
次に一次転写ローラ１５Ｙ，１５Ｃ，１５Ｍ，１５Ｂに一次転写電圧が印加され、感光体ドラム１１Ｙ，１１Ｃ，１１Ｍ，１１Ｂ上のトナーが、中間転写ベルト１７ａ上に順次転写されていく。この時、各色の作像動作は、そのトナー像が中間転写ベルト１７ａの同じ位置に重ねて転写されるように、上流側から下流側に向けてタイミングをずらして実行される。
【００２９】
上記の一次転写動作にタイミングを合わせて、給紙部３のいずれかの給紙カセット３ａ，３ｂから記録材としての記録用紙Ｓが給紙装置１９ａ，１９ｂで給紙され（または、手差し用テーブル８から給紙ローラ３０で給紙され）、記録用紙Ｓの先端がレジストローラ２１まで到達すると図示しなセンサによって検知され、この検出信号でタイミングを取りながら、レジストローラ２１によって記録用紙Ｓが二次転写ローラ２２と中間転写ベルト１７ａの間の２次転写ニップ部に搬送される。
【００３０】
そして中間転写ベルト１７ａ上に形成された画像は、二次転写ローラ２２の位置まで搬送され、記録用紙Ｓに一括して二次転写される。画像が転写された記録用紙Ｓは、定着ユニット９に搬送されて熱と圧力により画像が定着され、搬送ローラ２３で胴内排紙部４に向けて搬送され、排紙ローラ２４で排紙される。これにより記録用紙上にカラー画像を得ることができる。
【００３１】
また、操作部６で両面モードが選択され、両面コピーを行うときには、切換え爪２５で搬送路を切換え、定着済みの記録用紙Ｓを反転搬送路２７に一時的にスタックした後、反転搬送ローラ２６でスイッチバック式に進行方向を反転し、画像形成動作にタイミングを合わせて、両面用搬送路を搬送ローラ２８，２９により搬送し、レジストローラ２１に再給紙する。そして、レジストローラ２１で再び二次転写部に給紙し、記録用紙Ｓの裏面側に画像を転写する。裏面側にも画像が転写された記録用紙Ｓは、定着ユニット９に搬送されて熱と圧力により画像が定着され、搬送ローラ２３で胴内排紙部４に向けて搬送され、排紙ローラ２４で排紙される。これにより記録用紙Ｓの両面にカラー画像を得ることができる。
【００３２】
なお、感光体ドラム１１Ｙ，１１Ｃ，１１Ｍ，１１Ｂ上の残留トナーは、それぞれのクリーニング装置１６Ｙ，１６Ｃ，１６Ｍ，１６Ｂでクリーニングされ、その後、直流に交流成分のバイアスが重畳印加された帯電装置１２Ｙ，１２Ｃ，１２Ｍ，１２Ｂによって除電と同時に帯電され、次の作像に備える。
【００３３】
また、中間転写ベルト１７ａ上の残留トナーは、中間転写ベルトクリーニング装置１８によってクリーニングされ、次の作像工程に備える。
図３は、上記画像形成装置１を裏面側の背面カバーを外した状態を示す説明図であり、胴内排紙型の画像形成装置において、装置背面に電装部材を集約し、上下方向に渡り配置することで装置奥側の省スペース化を図っている。図３において、画像形成装置１の各主要構成に対する電装部材はスキャナ部５の背面に読取系の電装部材５Ａ、画像形成部２の背面は左側に給紙カセットから排紙トレイまでの紙搬送系の電装部材２Ａ、右側上にはトナー補給系の電装部材２Ｂ、右側下には作像系の電装部材２Ｃ、下側には給紙系の電装部材３Ａが配置されている。そして、画像形成装置１を裏面側にはトナー補給系、作像系の電装部材２Ｂ、２Ｃが取り付けられている範囲を覆うように、回転構造体としての電装ボックス４０が装置本体１に対して図４に示す回転軸４１を中心として開閉可能に取り付けられている。この電装ボックス４０は装置背面側が開放される箱型形状を有しており、開放部から電装部品のメンテナンスをすることができる。電装ボックス４０の上下面には、内部の熱をボックス外に放熱するための放熱孔が複数形成されている。なお、電装ボックス４０には、書き込み・モータ・センサの制御を行うシステム制御基板であるＢＩＣＵやコントローラ等が取り付けられている。また、電装ボックス４０の回転軸４１は平板面に形成された装置本体のブラケット４５に軸支する形態をとっている。
【００３４】
図４は、電装ボックス４０を下から見た斜視図である。図４において画像形成装置本体１から電装ボックス４０に多数の電線束であるハーネス５０が橋渡しされており、該ハーネス５０はバラバラに分れることがないように適宜間隔毎にハーネスクランプ５６によって束ねられている。このような電装ボックス４０に橋渡しされるハーネス５０は、モータやクラッチ等の動作確認を可能にすべく接続したままで電装ボックス４０を回動可能にするため、回転軸４１の近くを通って装置本体１から電装ボックス４０に配線される。このため、ハーネス５０が例えば装置本体のブラケット４５のエッジ４５Ａに当って傷ついたり断線したりすることがある。
【００３５】
そこで、本発明ではハーネス５０を保護する電線保護装置を設けている。本実施形態における電線保護装置は電装ボックス４０の回動時に、ハーネス５０とこのハーネス５０が接触する装置本体のブラケット４５のエッジ４５Ａとの間にハーネス５０の変形に応じて変形する電線保護部材５２を介在させている。この電線保護部材５２は、ハーネス５０の配線方向に延びる板状の弾性体フィルムであって、本実施形態では厚さ０．１２５ｍｍのＰＥＴフィルムから作られている。そして、電線保護部材５２は、ハーネス５０の配線方向と直交する断面形状が略Ｌの字状に形成され、Ｌの字状の一辺側が電装ボックス４０に固定支持される固定部としての固定板５３であり、他辺側が固定部５３に繋がり端部がフリーの変形部としての変形板５４とから構成されている。この変形板５４は、図５（ａ）に示すように、固定板５３との間に切れ目５５を設けている、もしくは図５（ｂ）に示すように、ハーネス５０の配線方向である長手方向において変形板５４を固定部より長くとることにより端部である変形部５４Ａが固定板５３に拘束されずに変形可能となっている。そして、この変形板５４の部分がハーネス５０と装置本体のブラケット４５のエッジ４５Ａの間に介在される。なお、電線保護部材５２は薄板状の弾性フィルムでも、その厚さが大きくなると、その端面で電線を傷付けたり、断線させてしまうので、ＰＥＴフィルムの場合０．１〜０．４ｍｍの厚さが適している。
【００３６】
電線保護部材５２は、その固定板５３を電装ボックス４０に固定している。電線保護部材５２は、両面テープによって電装ボックス４０に固定することもできるが、本実施形態ではハーネス５０を束ねるハーネスクランプ５６として構成されたクランプ部材を２個以上用いて電装ボックス４０に固定支持されている。このハーネスクランプ５６は、それ自体公知の弾性体のクランプでって、図６に示すように、束ねたハーネス５０を支持するハーネス支持部５６Ａと、構造体に固定支持させる支持部５６Ｂとでからなり、支持部５６Ｂはその先端を構造体に形成した所定径の孔に差し込むと弾性変形部によって装着することができる。このハーネスクランプ５６を利用して電線保護部材５２を取り付ける場合、電線保護部材５２にはハーネスクランプ５６の取り付け穴より大きい穴が空いておくことで、ハーネスクランプ５６と電装ボックス４０に挟まれて固定されている。このように、電線保護部材５２はワンタッチ装着機能を有しているハーネスクランプ５６により確実に電装ボックス４０に固定される。
【００３７】
したがって、ハーネスクランプ５６を電線保護部材５２に通した後、電装ボックス４０に装着するという簡単な作業で電線保護部材５２を電装ボックス４０に取り付けることができる。しかも、電線保護部材５２を両面テープによる固定に比べて位置決めに注意して組付ける必要がなく、組み付けが容易である。さらに、組み付けた電線保護部材５２と保護するハーネス５０との位置関係の設定も不要にすることができる。
【００３８】
このように構成される電線保護装置は、図７に示す電装ボックス４０が閉じた状態において電線保護部材５２の変形板５４は装置本体のブラケット４５のエッジ４５Ａに触れずそのまま真っ直ぐに延びている。ここで、電装ボックス４０を回転軸４１を中心として装置本体に対してほぼ９０°回動すると、図８に示すように、ハーネス５０が装置本体のブラケット４５のエッジ４５Ａに当る状態になるが、ハーネス５０と装置本体のブラケット４５のエッジ４５Ａの間には電線保護部材５２が介在しているため、ハーネス５０が直接装置本体のエッジ４５に直接触れることが防止され、ハーネス５０が保護される。図９に示すように、電装ボックス４０がさらに回動されてもハーネス５０と装置本体のブラケット４５のエッジ４５Ａの間には電線保護部材５２が介在しているため、ハーネス５０が保護される。このとき、電線保護部材５２は切れ目５５の長さから変形可能な範囲を任意に設定することができるので、ハーネス５０の変形に合わせて変形板５４を変形することができる。仮に、電線保護部材５２が弾性変形しない場合は、ハーネス５０が突っ張ってしまって、電装ボックス４０の回動を妨げ、電線保護部材５２のエッジがハーネス５０に食い込んで、ハーネス５０が傷ついたり、断線したりしてしまうので、本実施形態のようにすることが効果的である。
【００３９】
したがって、このように構成された電線保護部材５２はハーネス５０を確実に保護するとともに、電線保護部材５２を設けても電装ボックス４０の回動を妨げにくく、かつ、ハーネス５０自身に大きな負荷を与えることもないものである。さらに、ハーネス５０を固定するために配置してあるハーネスクランプ５６を利用しているので、製造コストも大幅に軽減することができる等の利点を有する。
【００４０】
以上、本発明の好ましい実施形態について説明したが、本発明は各種改変することができるものである。
例えば、画像形成装置がその内部構成の一例を図２に示したが、本発明に係る画像形成装置は上記の構成に限るものではない。すなわち、図２の例ではタンデム方式の画像形成部を示したが、これに代えて、１つの感光体と複数の現像装置及び中間転写体を備える構成（所謂１ドラム−中間転写方式）のカラー画像形成部としてもよく、また、単色画像のみを形成するモノクロ式の画像形成部としてもよい。また、図１では原稿読取部２５を備えた構成を例示したが、原稿読取部２５を外せば、プリンタの構成となる。
【００４１】
さらに、電線保護装置は電装ボックス４０の下面に電線保護部材５２を設けているが、この形態に限られず、電装ボックス４０の上面に設けても良い。また、電線保護部材５２を電装ボックス４０側でなく、装置本体側に取り付けることも可能である。
【図面の簡単な説明】
【００４２】
【図１】本発明に係る画像形成装置の概略を示す斜視図である。
【図２】その画像形成装置の内部構成の概要を示す概略全体構成図である。
【図３】画像形成装置を裏面側の背面カバーを外した状態を示す説明図である。
【図４】本発明に係る電線保護装置を示す電装ボックスを下から見た斜視図である。
【図５】（ａ），（ｂ）は異なる形態の電線保護部材を示す斜視図である。
【図６】ハーネスクランプを示す断面説明図である。
【図７】電装ボックスを閉じた状態時のハーネスと電線保護部材を示す説明図である。
【図８】電装ボックスを９０°回動した状態時のハーネスと電線保護部材を示す説明図である。
【図９】電装ボックスを９０°以上回動した状態時のハーネスと電線保護部材を示す説明図である。
【符号の説明】
【００４３】
１    装置本体
４０    電装ボックス
４１    回転軸
４５Ａ    エッジ
５０    ハーネス
５２    電線保護部材
５３    固定板
５４    変形板
５６    ハーネスクランプ
【図１】
0004500742.tif 000002
【図２】
0004500742.tif 000003
【図３】
0004500742.tif 000004
【図４】
0004500742.tif 000005
【図５】
0004500742.tif 000006
【図６】
0004500742.tif 000007
【図７】
0004500742.tif 000008
【図８】
0004500742.tif 000009
【図９】
0004500742.tif 000010